(57)【要約】      （修正有）【課題】右利きと左利きの双方の使用者に対して、持ち手を持ち易い位置に配置できると共に、車輪が地面に向くように構成された視覚障害者用杖を提供する。【解決手段】視覚障害者用杖は、第２筒１Ｂの内部に設けられた位置規制手段１５を備える。位置規制手段１５は、２つのピン部１５０と、各ピン部１５０を第２筒１Ｂの外側に向けて付勢するための付勢部１５１と、を備える。第２筒１Ｂは、各ピン部１５０に対応した位置に、各ピン部１５０を挿通するための２つの第２調整孔１４を備える。各ピン部１５０は、付勢部１５１の付勢力によって、各第２調整孔１４を挿通する。第１筒１Ａは、各第２調整孔１４に挿通するピン部１５０のいずれか１つを挿通するための第１調整孔１３を備える。杖本体の軸方向１ｂの所定位置における周方向１ｄには、第１調整孔１３が設けられる。【選択図】図４
0003195612.tif 000002
【実用新案登録請求の範囲】
【請求項１】
杖本体（１）と、
前記杖本体（１）の一端に設けられた先端部（１１）と、
前記杖本体（１）の他端に設けられた持ち手（１０）と、
前記杖本体（１）の先端側に設けられた車輪（２）と、を備えた視覚障害者用杖において、
前記杖本体（１）は、第１筒（１Ａ）と、前記第１筒（１Ａ）の内側に挿入される第２筒（１Ｂ）と、を備え、
前記持ち手（１０）は、前記杖本体の径方向（１ｃ）に延設され、前記杖本体（１）に対して互いに対向して配置された長尺部（１０Ａ）及び短尺部（１０Ｂ）を備え、
前記視覚障害者用杖は、さらに、前記第２筒（１Ｂ）の内部に設けられた位置規制手段（１５）を備え、
前記位置規制手段（１５）は、前記杖本体の周方向（１ｄ）の所定角度（θ）を置いて配置された少なくとも２つのピン部（１５０）と、前記各ピン部（１５０）を前記第２筒（１Ｂ）の外側に向けて付勢するための付勢部（１５１）と、を備え、
前記所定角度（θ）は、１８０度であり、
前記第２筒（１Ｂ）は、前記各ピン部（１５０）に対応した位置に、前記各ピン部（１５０）を挿通するための少なくとも２つの第２調整孔（１４）を備え、
前記各ピン部（１５０）は、前記付勢部（１５１）の付勢力によって、前記各第２調整孔（１４）を挿通し、
前記第１筒（１Ａ）は、前記各第２調整孔（１４）に挿通する前記ピン部（１５０）のいずれか１つを挿通するための第１調整孔（１３）を備え、
前記杖本体の軸方向（１ｂ）の所定位置における前記周方向（１ｄ）には、前記第１調整孔（１３）が設けられ、
前記各ピン部（１５０）のいずれか１つが前記第１及び第２調整孔（１３，１４）を通じて、前記第１及び第２筒（１Ａ，１Ｂ）から突出することで、前記第１及び第２筒（１Ａ，１Ｂ）の前記周方向（１ｄ）の位置を規制でき、
前記第１及び第２筒（１Ａ，１Ｂ）から突出する前記ピン部（１５０）を、前記付勢部（１５１）の付勢力に対向して押すことで、前記第１及び第２筒（１Ａ，１Ｂ）の前記周方向（１ｄ）の位置規制を解除できる
ことを特徴とする視覚障害者用杖。
【請求項２】
前記杖本体の軸方向（１ｂ）の所定位置における前記周方向（１ｄ）には、１つだけの前記第１調整孔（１３）が設けられる
ことを特徴とする請求項１に記載の視覚障害者用杖。
【請求項３】
前記軸方向（１ｂ）には、複数の前記第１調整孔（１３）が所定間隔（ｐ）を置いて設けられ、
前記各ピン部（１５０）のいずれか１つが前記第１及び第２調整孔（１３，１４）を通じて、前記第１及び第２筒（１Ａ，１Ｂ）から突出することで、前記第１及び第２筒（１Ａ，１Ｂ）の前記軸方向（１ｂ）の位置を規制でき、
前記第１及び第２筒（１Ａ，１Ｂ）から突出する前記ピン部（１５０）を、前記付勢部（１５１）の付勢力に対向して押すことで、前記第１及び第２筒（１Ａ，１Ｂ）の前記軸方向（１ｂ）の位置規制を解除できる
ことを特徴とする請求項１又は２に記載の視覚障害者用杖。
【請求項４】
前記杖本体（１）の先端（１ａ）付近の第１位置と、前記第１位置から前記杖本体（１）の先端（１ａ）に対し反対側に離れた第２位置と、の間で前記車輪（２）を移動可能とする移動手段（３）と、前記車輪（２）を前記第１位置に付勢する付勢手段（４）とを備え、
前記車輪（２）は、前記第１位置において、所定距離（ｔ）だけ前記杖本体（１）の先端（１ａ）から前記杖本体（１）の先端部（１１）に対し反対側に離れており、
通常時において、使用者は、前記第１位置に配置された前記車輪（２）を地面に接地して転がし、
緊急時において、使用者が前記杖本体（１）の先端（１ａ）を地面に向けて力を入れると、前記車輪（２）が前記第２位置に移動して、前記杖本体（１）の先端（１ａ）が地面に接地しやすくなるように構成されている
ことを特徴とする請求項１〜３のいずれかに記載の視覚障害者用杖。
【請求項５】
前記移動手段（３）は、前記車輪（２）を回転可能に支持する支持部材（３０）と、前記杖本体の軸方向（１ｂ）に対して略直角方向に延設され、前記支持部材（３０）を前記杖本体（１）に対して回転可能にするための回転軸部材（３１）と、前記支持部材（３０）を前記杖本体（１）に挿通し、前記第１位置と前記第２位置とで前記支持部材（３０）の移動を規制するための切込み部（３２，３３）と、を備える
ことを特徴とする請求項４に記載の視覚障害者用杖。
【考案の詳細な説明】
【技術分野】
【０００１】
本考案は、特に弱視者などの視覚障害を患った老人に有用な視覚障害者用杖に関するものである。
【背景技術】
【０００２】
全盲の他、夜盲症、視野狭窄などの視覚障害を患った視覚障害者は、一般的に、杖を振って歩行する方向及びその周辺の障害物を確認している。しかしながら、このように杖を振って確認すると、杖を地面から離して障害物を確認することになるので、地面付近にある障害物を直ぐに把握することができず、非常に危険な場合がある。
【０００３】
そこで、特許文献１のように、下り階段や段差等を迅速に把握できると共に、転倒を防止するための杖としても使用できる視覚障害者用杖が考案されている。
【０００４】
特許文献１の図１の通り、杖の先端１ａ側には、車輪２が設けられており、使用者は、車輪２を地面に接地して転がすことで、障害物を素早く発見できるようになっている。さらに、特許文献１の図２の通り、杖の持ち手１０は、Ｔ字状に構成されており、杖本体１に対して、一方側が長く、他方側が短く構成されている。
【０００５】
上記の通り、杖の持ち手１０は、一方側が長く、他方側が短く構成されており、使用状態において、長尺部に使用者の中指、薬指及び小指を配置して、短尺部に使用者の人差し指及び親指を配置すると、使用者が杖を持ち易いように構成されている。そして、使用者は、杖の持ち手１０を持って、手の甲を上に向けると、車輪２が地面に向いて、車輪２を地面に接地できるようになっている。
【０００６】
杖の持ち手１０と車輪２の位置は固定されており、例えば、右利き用の杖を右利きの使用者が使用する場合、持ち手１０の短尺部を使用者の身体の方に配置して、持ち手１０の長尺部を使用者の身体とは反対に配置して、使用者が杖の持ち手１０を右手で持って、手の甲を上に向けると、車輪２が地面に向くようになっている。
【０００７】
そのため、右利き用の杖を、右利きではなく左利きの使用者が使用する場合、持ち手１０の短尺部を使用者の身体の方に配置して、持ち手の長尺部を使用者の身体とは反対に配置して、使用者が杖の持ち手１０を左手で持って、手の甲を上に向けると、車輪２は地面と反対に向いてしまう。
【０００８】
従って、右利きと左利きの双方の使用者が、特許文献１の杖を使用するためには、持ち手１０と車輪２の位置が反対になっている２種類の杖を製造しなければならない。
【先行技術文献】
【特許文献】
【０００９】
【特許文献１】実用新案登録第３１７４７２４号公報
【考案の概要】
【考案が解決しようとする課題】
【００１０】
そこで、本考案が解決しようとする課題は、右利きと左利きの双方の使用者に対して、持ち手を持ち易い位置に配置できると共に、車輪が地面に向くように構成された視覚障害者用杖を提供することである。
【課題を解決するための手段】
【００１１】
上記課題を解決するために、本考案に係る視覚障害者用杖は、
杖本体と、
杖本体の一端に設けられた先端部と、
杖本体の他端に設けられた持ち手と、
杖本体の先端側に設けられた車輪と、を備えた視覚障害者用杖において、
杖本体は、第１筒と、第１筒の内側に挿入される第２筒と、を備え、
持ち手は、杖本体の径方向に延設され、杖本体に対して互いに対向して配置された長尺部及び短尺部を備え、
視覚障害者用杖は、さらに、第２筒の内部に設けられた位置規制手段を備え、
位置規制手段は、杖本体の周方向の所定角度を置いて配置された少なくとも２つのピン部と、各ピン部を第２筒の外側に向けて付勢するための付勢部と、を備え、
所定角度は、１８０度であり、
第２筒は、各ピン部に対応した位置に、各ピン部を挿通するための少なくとも２つの第２調整孔を備え、
各ピン部は、付勢部の付勢力によって、各第２調整孔を挿通し、
第１筒は、各第２調整孔に挿通するピン部のいずれか１つを挿通するための第１調整孔を備え、
杖本体の軸方向の所定位置における周方向には、第１調整孔が設けられ、
各ピン部のいずれか１つが第１及び第２調整孔を通じて、第１及び第２筒から突出することで、第１及び第２筒の周方向の位置を規制でき、
第１及び第２筒から突出するピン部を、付勢部の付勢力に対向して押すことで、第１及び第２筒の周方向の位置規制を解除できる。
【００１２】
好ましくは、
杖本体の軸方向の所定位置における周方向には、１つだけの第１調整孔が設けられる。
【００１３】
好ましくは、
軸方向には、複数の第１調整孔が所定間隔を置いて設けられ、
各ピン部のいずれか１つが第１及び第２調整孔を通じて、第１及び第２筒から突出することで、第１及び第２筒の軸方向の位置を規制でき、
第１及び第２筒から突出するピン部を、付勢部の付勢力に対向して押すことで、第１及び第２筒の軸方向の位置規制を解除できる。
【００１４】
好ましくは、
杖本体の先端付近の第１位置と、第１位置から杖本体の先端に対し反対側に離れた第２位置と、の間で車輪を移動可能とする移動手段と、車輪を第１位置に付勢する付勢手段とを備え、
車輪は、第１位置において、所定距離だけ杖本体の先端から杖本体の先端部に対し反対側に離れており、
通常時において、使用者は、第１位置に配置された車輪を地面に接地して転がし、
緊急時において、使用者が杖本体の先端を地面に向けて力を入れると、車輪が第２位置に移動して、杖本体の先端が地面に接地しやすくなるように構成されている。
【００１５】
好ましくは、
移動手段は、車輪を回転可能に支持する支持部材と、杖本体の軸方向に対して略直角方向に延設され、支持部材を杖本体に対して回転可能にするための回転軸部材と、支持部材を杖本体に挿通し、第１位置と第２位置とで支持部材の移動を規制するための切込み部と、を備える。
【考案の効果】
【００１６】
上記の通り、杖本体は、第１筒と、第１筒の内側に挿入される第２筒と、を備える。持ち手は、杖本体の径方向に延設され、杖本体に対して互いに対向して配置された長尺部及び短尺部を備える。視覚障害者用杖は、さらに、第２筒の内部に設けられた位置規制手段を備える。位置規制手段は、杖本体の周方向の所定角度を置いて配置された少なくとも２つのピン部と、各ピン部を第２筒の外側に向けて付勢するための付勢部と、を備える。第２筒は、各ピン部に対応した位置に、各ピン部を挿通するための少なくとも２つの第２調整孔を備える。各ピン部は、付勢部の付勢力によって、各第２調整孔を挿通する。第１筒は、各第２調整孔に挿通するピン部のいずれか１つを挿通するための第１調整孔を備える。杖本体の軸方向の所定位置における周方向には、第１調整孔が設けられる。
【００１７】
そして、各ピン部のいずれか１つが第１及び第２調整孔を通じて、第１及び第２筒から突出することで、第１及び第２筒の周方向の位置が規制できる。さらに、第１及び第２筒から突出するピン部を、付勢部の付勢力に対向して押すことで、第１及び第２筒の周方向の位置規制を解除できる。
【００１８】
このように、複数のピン部が、所定角度を置いて配置されており、所定角度を１８０度とすると、持ち手と車輪との配置関係を１８０度ずつ回転して位置規制できる。そのため、車輪に対して、持ち手の長尺部と短尺部の配置を１８０度ずつ回転できるので、右利きと左利きの双方の使用者に対して、持ち手を持ち易い位置に配置できると共に、車輪を地面に向くようにできる。
【図面の簡単な説明】
【００１９】
【図１】視覚障害者用杖を示す側面図。
【図２】視覚障害者用杖を示す正面図。
【図３】視覚障害者用杖を示す背面図。
【図４】図１のＡ−Ａ線断面図。
【図５】図４のＢ−Ｂ線断面図。
【図６】持ち手部を回転した状態を示し、（Ａ）は、左利きの使用者に適した持ち手部の位置、（Ｂ）は、右利きの使用者に適した持ち手部の位置を示す。
【図７】視覚障害者用杖の第１使用状態を示す図。
【図８】視覚障害者用杖の第２使用状態を示す図。
【考案を実施するための形態】
【００２０】
以下、図面に基づいて、本考案に係る視覚障害者用杖の一実施形態について説明する。
【００２１】
［全体構成］
図１〜図３に示す通り、視覚障害者用杖は、円筒部材で構成された杖本体１を備える。視覚障害者用杖は、杖本体１の先端１ａが地面に接地する部分となっており、杖本体１の一端である先端側にゴム製の先端部１１を備える。先端部１１は、地面に対する滑り止めとなる。また、視覚障害者用杖は、杖本体１の先端側に対して反対側である他端に持ち手部１０を備えている。
【００２２】
本実施形態では、杖本体１の先端側に、一輪の車輪２が設けられている。視覚障害者用杖は、移動手段３を備えており、移動手段３は、車輪２を杖本体１の先端付近の第１位置（図１の実線で示す位置）と、第１位置から杖本体１の先端に対し反対に離れた第２位置（図１の二点鎖線で示す位置）との間で移動可能とする。
【００２３】
本実施形態では、移動手段３は、次のように構成される。車輪２は、杖本体１の長さ方向１ｂに対して直角方向１ｃに延設された回転軸部材３４によって、支持部材３０に回転可能に支持され、杖本体１の背面側に配置される。
【００２４】
杖本体１は、正面側の切込み部３２及び背面側の切込み部３３が形成されている。切込み部３２，３３は、杖本体１の長さ方向１ｂに延設されている。支持部材３０は、切込み部３２，３３を通じて杖本体１に貫通して設置されている。
【００２５】
そして、支持部材３０は、杖本体１の長さ方向１ｂに対し直角方向１ｃに延設された回転軸部材３１によって、杖本体１に対し回転可能に支持されている。支持部材３０は、回転軸部材３１によって回転可能であると共に、切込み部３２，３３の両端部に当接することで所定の角度で回転移動が規制される。各切込み部３２，３３の長さは、第１位置及び第２位置で車輪２の移動が規制されるように構成される。
【００２６】
視覚障害者用杖は、支持部材３０と杖本体１との間にコイルバネ製の付勢部材４を備える。この付勢部材４の付勢力によって、車輪２が第１位置（図１の実線で示す位置）に配置されるように構成されている。
【００２７】
図１の通り、車輪２は、第１位置において、杖本体１の先端１ａから杖本体１の先端部１１に対し反対側に所定距離ｔ（例えば１〜３ｃｍ）だけ離れている。車輪２が所定距離ｔだけ離れることによって、後述するように、車輪２を地面に接地して転がりやすくなるとともに、使用者の転倒を防止する際に、車輪２が第１位置から第２位置に移動して、先端部１１が地面に接地しやすくなる。なお、この所定距離ｔは、車輪２の外径寸法や使用しやすさ等に応じて適宜決定される。
【００２８】
さらに、視覚障害者用杖は、杖本体１の持ち手部１０側に照明部１２を備える。照明部１２は、杖本体１の先端１ａ側に向けて設けられている。そして、夜間において、照明部１２を照射すると、杖本体１の全体を照射すると共に、杖本体の先端１ａ付近の地面を照射することとなる。これによって、使用者が夜盲症などであって、夜間に視覚能力が著しく衰えても、照明部１２を照射することで、杖本体１の先端１ａ付近の地面の状態を確認できると共に、使用者に近づく運転者などの第三者も、杖本体１の全体が照射されて反射されると共に、地面に杖本体１の影が形成されるので、使用者を素早く察知することができ、非常に安全なものとなる。
【００２９】
さらに、図２及び図３の通り、持ち手部１０は、杖本体１の長さ方向１ｂに対して直角方向１ｃに延設されており、車輪２を回転支持する回転軸部材３４に対して平行に延設されている。これにより、図２及び図３の通り、持ち手部１０と杖本体１とによってＴ字状に形成されている。持ち手部１０の形状をこのようにすることで、使用状態において、使用者が持つ持ち手１０の向きを変えることで、地面に接地する部分を車輪２と先端部１１との間で変更しやすくなる。
【００３０】
即ち、後述するように、使用者が持ち手部１０を持って、手の甲を上に向けると、車輪２が下に向くので、車輪２を地面に接地でき、車輪２を転がして障害物を探査できる。また、使用者の手の甲を横に向けると、車輪２が横に向くので、車輪２を地面に接地できず、先端部１１を地面に接地でき、通常の杖と同様に振って障害物を探査できると共に、転倒を防止する。
【００３１】
図２及び図３の通り、持ち手部１０は、杖本体１に対して互いに対向して配置された長尺部１０Ａ及び短尺部１０Ｂを備える。使用状態において、長尺部１０Ａに使用者の中指、薬指及び小指を配置して、短尺部１０Ｂに使用者の人差し指及び親指を配置すると、使用者が杖を持ち易いように構成されている。そして、使用者は、持ち手１０を持って、手の甲を上に向けると、車輪２が地面に向いて、車輪２を地面に接地できるようになっている。
【００３２】
図２及び図３では、左利き用の杖となっており、この杖を左利きの使用者が使用する場合、持ち手１０の短尺部１０Ｂを使用者の身体の方に配置して、持ち手１０の長尺部１０Ａを使用者の身体とは反対に配置して、使用者が持ち手１０を左手で持って、手の甲を上に向けると、車輪２が地面に向くようになっている。
【００３３】
さらに、図４及び図５の通り、杖本体１は、第１筒１Ａと、第１筒１Ａの内側に挿入される第２筒１Ｂと、を備える。視覚障害者用杖は、さらに、第２筒１Ｂの内部に設けられた位置規制手段１５を備える。位置規制手段１５は、杖本体の周方向１ｄの所定角度θを置いて配置された２つのピン部１５０，１５０’と、各ピン部１５０，１５０’を第２筒１Ｂの外側に向けて付勢するための付勢部１５１と、を備える。所定角度θは、１８０度となっている。付勢部１５１は、バネで構成されており、２つのピン部１５０，１５０’に連結される。付勢部１５１は、各ピン部１５０，１５０’を互いに反対に付勢する。
【００３４】
第２筒１Ｂは、各ピン部１５０，１５０’に対応した位置に、各ピン部１５０，１５０’を挿通するための２つの第２調整孔１４，１４’を備える。各ピン部１５０，１５０’は、付勢部１５１の付勢力によって、各第２調整孔１４，１４’を挿通する。ピン部１５０は、第２調整孔１４より小さい本体部１５０ａと、第２調整孔１４より大きい大径部１５０ｂと、を備える。このため、ピン部１５０は、大径部１５０ｂが第２調整孔１４に係止して、本体部１５０ａが第２調整孔１４から飛び出さずに突出するように構成されている。
【００３５】
第１筒１Ａは、各第２調整孔１４．１４’に挿通するピン部１５０，１５０’のいずれか１つを挿通するための第１調整孔１３を備える。図５の通り、杖本体１の軸方向１ｂの所定位置における周方向１ｄには、１つの第１調整孔１３が設けられる。そして、後述するが、杖本体１の軸方向１ｂに沿っては、複数の第１調整孔１３が配置される。
【００３６】
そして、図４及び図５の通り、各ピン部１５０のいずれか１つが第１及び第２調整孔１３，１４を通じて、第１及び第２筒１Ａ，１Ｂから突出することで、第１及び第２筒１Ａ，１Ｂの周方向１ｄの位置を規制できる。さらに、第１及び第２筒１Ａ，１Ｂから突出するピン部１５０を、付勢部１５１の付勢力に対向して押すことで、第１及び第２筒１Ａ，１Ｂの周方向１ｄの位置規制を解除できる。
【００３７】
そして、一方のピン部１５０を一方の第１調整孔１３から突出しないように押して、位置規制を解除して、第１筒１Ａを周方向１ｄに回転して、第１調整孔１３を他方の第２調整孔１４’に合わせて、他方のピン部１５０’を他方の第１及び第２調整孔１３，１４’’から突出して、第１及び第２筒１Ａ，１Ｂを位置規制する。
【００３８】
このように、２つのピン部１５０，１５０’が、１８０度を置いて配置されているので、持ち手１０と車輪２との配置関係を１８０度ずつ回転して位置規制できる。そのため、図６の通り、車輪２に対して、持ち手１０の長尺部１０Ａと短尺部１０Ｂの配置を１８０度ずつ回転できるので、右利きと左利きの双方の使用者に対して、持ち手１０を持ち易い位置に配置できると共に、車輪２を地面に向くようにできる。
【００３９】
さらに、図４の通り、軸方向１ｂには、複数の第１調整孔１３が所定間隔ｐを置いて設けられる。各ピン部１５０，１５０’のいずれか１つが第１及び第２調整孔１３，１４を通じて、第１及び第２筒１Ａ，１Ｂから突出することで、第１及び第２筒１Ａ，１Ｂの軸方向１ｂの位置でも規制できる。さらに、第１及び第２筒１Ａ，１Ｂから突出するピン部１５０（又は１５０’）を、付勢部１５１の付勢力に対向して押すことで、第１及び第２筒１Ａ，１Ｂの軸方向１ｂの位置規制を解除できる。
【００４０】
第１及び第２筒１Ａ，１Ｂをずらして、出没可能なピン部１５０（又は１５０’）を、所定間隔ｐごとに設けられた複数の第１調整孔１３に挿通することで、軸方向１ｂに位置決めして、杖本体１を伸縮するように構成されている。そのため、杖本体１は、所定間隔ｐごとに伸縮可能に構成されており、使用者の身長に合わせて杖本体１を伸縮できるようになっている。
【００４１】
［使用状態］
図７の通り、使用者４０が持ち手部１０を持って、手の甲４１を上に向けると、車輪２が下に向くので、車輪２を地面に接地できる（第１使用状態）。この第１使用状態の通常時において、使用者は、第１位置にある車輪２を地面に接地して転がす。その結果、常に車輪２が地面に接地しているので、下り階段等があると杖全体が下がり、突起物等があると衝突するため、使用者は障害物を素早く発見できる。また、転倒しそうな緊急時において、使用者は、杖の先端に向けて力をかける。その結果、付勢部材４の付勢力に対向して、車輪２が第１位置から第２位置に移動して、先端部１１が地面に接地し、使用者の転倒を防止できるようになっている。このように、本考案に係る視覚障害者用杖は、下り階段や段差等を迅速に把握できると共に、使用者の転倒を防止することもできる。
【００４２】
また、図８の通り、使用者４０が持ち手部１０を持って、使用者４０の手の甲４１を横に向けると、車輪２が横に向くので、車輪２を地面に接地できず、先端部１１を地面に接地できる（第２使用状態）。この第２使用状態において、使用者４０は、振って障害物を探査すると共に、転倒を防止する従来の杖としても使用できる。このように、本考案に係る視覚障害者用杖は、持ち手部１０がＴ字状になっているので、使用者が持っている手の向きを変更するだけで、地面に接地する部分を車輪２と先端部１１とに容易に変更して、振って障害物を確認すると共に、転倒を防止する従来の杖としても簡単に変更できる。
【００４３】
［他の実施形態］
実施形態では、車輪２は、一輪であるが、杖本体の軸方向に対し直角方向に並列された二輪であってもよい。車輪２は、回転手段３を介して杖本体１に取り付けられているが、移動手段３を省略してもよい。
【００４４】
また、実施形態の移動手段３は駆動性且つ生産性に優れたものであるが、上記の実施形態の構成に限定されるものではなく、様々な機構を採用することができる。例えば、付勢部材４を杖本体１の内部に設けて、支持部材３０を付勢してもよい。
【００４５】
また、支持部材３０及び回転軸部材３１をそれぞれ杖本体１の外側に設けて、車輪２を第１位置から第２位置に移動可能な機構としてもよい。
【００４６】
また、支持部材３０の移動を規制する手段は、杖本体１に設けられた突起部であってもよい。つまり、移動手段３を構成するブロック機構を杖本体１の外側に設けてもよい。
【００４７】
また、複数の部材からなるリンク機構を用いて、車輪２を移動させるリンク式の移動手段３を設けてもよい。
【００４８】
また、杖本体１は、コンパクトにして携帯性に優れるように、杖本体１の中央部付近が折り曲げられて、折り畳み可能なように構成されていてもよい。
【００４９】
また、実施形態では、２つのピン部１５０，１５０’が、１８０度を置いて配置されているが、例えば、１８０度の間に追加の２つのピン部１５０が設けられ、９０度ごとに４つのピン部１５０が設けられてもよい。その場合、９０度ごとに第１及び第２筒１Ａ，１Ｂの回転角度を調整できる。
【００５０】
また、実施形態では、１つの付勢部１５１が、２つのピン部１５０，１５０’を付勢しているが、例えば、２つの付勢部１５１を第２筒１Ｂの内側に取り付けて、各付勢部１５１で各ピン部１５０を付勢してもよい。
【００５１】
また、図４の通り、２つのピン部１５０，１５０’は、軸方向１ｂの同じ位置に配置されているが、一方のピン部１５０と他方のピン部１５０’とが、軸方向１ｂの異なる位置に配置されていてもよい。その場合、軸方向１ｂの異なる位置に配置された２つの第１調整孔１３のそれぞれに対応して、２つのピン部１５０，１５０’が配置される。
【００５２】
実施形態では、軸方向１ｂの所定の位置の周方向１ｄには、１つだけの第１調整孔１３が設けられているが、所定角度θを置いて各ピン部１５０に対応して、２つの第１調整孔１３を設けても良い。ただし、照明部１２の配置や生産性を考慮すると、軸方向１ｂの所定の位置の周方向１ｄには、１つだけの第１調整孔１３を設けることが好ましい。
【符号の説明】
【００５３】
１  杖本体
１Ａ  第１筒
１Ｂ  第２筒
２  車輪
３  移動手段
４  付勢部材
１０  持ち手
１０Ａ  長尺部
１０Ｂ  短尺部
１１  先端部
１２  照明部
１３  第１調整孔
１４  第２調整孔
１５  位置規制手段
１５０  ピン部
１５１  付勢部
１ａ  杖本体の先端
１ｂ  杖本体の軸方向
１ｃ  杖本体の径方向
１ｄ  杖本体の周方向
３０  支持部材
３１  支持部材の回転軸部材
３２  正面側切込み部
３３  背面側切込み部
３４  車輪の回転軸部材
４０  使用者
４１  使用者の手の甲
θ  所定角度
ｐ  所定間隔
ｔ  所定距離
【図１】
0003195612.tif 000003
【図２】
0003195612.tif 000004
【図３】
0003195612.tif 000005
【図４】
0003195612.tif 000006
【図５】
0003195612.tif 000007
【図６】
0003195612.tif 000008
【図７】
0003195612.tif 000009
【図８】
0003195612.tif 000010